(57)【要約】本発明はシェーバーに関し、前記シェーバーには着脱可能なカートリッジとハンドルアセンブリが含まれ、前記着脱可能なカートリッジには、カートリッジ本体と、前記カートリッジ本体の下面に装着された少なくとも一枚の刃と、前記カートリッジ本体の上面に設けられたコネクタ実装部と、前記コネクタ実装部に実装され、ホルダー装着部を有するコネクタと、が含まれ、さらに、前記ハンドルアセンブリには、ハンドル本体と、前記ハンドル本体の前端部に設けられたハウジングと、揺動軸の周りを回動するように前記ハウジングの前端部に装着されるホルダーと、前記ホルダーを前記ホルダー装着部に着脱可能に連結する働きをする離脱手段と、前記離脱手段に連動して操作されるように前記ハウジング内に取り付けられる操作手段と、弾性力を用いて前記ホルダーの回動動作を弾性的に支持する支持手段と、が含まれる。【選択図】図７
2010527736.tif 000002
【特許請求の範囲】
【請求項１】
着脱可能なカートリッジとハンドルアセンブリとからなるシェーバーにおいて、該カートリッジが、その上面と下面の一部が開口してなるカートリッジ本体と、前記カートリッジ本体の下面に装着された少なくとも一枚の刃と、前記カートリッジ本体の上面に設けられたコネクタ実装部と、前記コネクタ実装部に実装され、その後端部にホルダー装着部を有するコネクタと、からなることを特徴とし、さらに、該ハンドルアセンブリが、ハンドル本体と、前記ハンドル本体の前端部に設けられたハウジングと、揺動軸の周りを回動するように前記ハウジングの前端部に装着されるとともに、前記ホルダー装着部に着脱可能に装着されるホルダーと、前記ホルダーを前記ホルダー装着部に着脱可能に連結する働きをする離脱手段と、前記離脱手段に連動して操作されるように前記ハウジングに取り付けられて、外力により物理的な力が前記離脱手段に作用すると前記ホルダーを前記ホルダー装着部から分離し、弾性力によりその元の位置に戻る操作手段と、前記ホルダーに連動して操作され、かつ、弾性力を用いて前記ホルダーの回動動作を弾性的に支持するように前記ハウジングに取り付けられる支持手段と、からなることを特徴とするシェーバー。
【請求項２】
前記離脱手段が、前記ホルダー装着部の後端部上部分の中心に設けられる離脱用突起と、前記離脱用突起の両側から下方に延び、前記離脱用突起によって弾性的に回動する弾性ステップと、前記ホルダーの前端部のそれぞれの前記弾性ステップに相当する箇所に設けられた離脱用フックと、からなることを特徴とし、さらに、前記操作手段が、前記ハウジングの上面に装着され、前記ハウジングに延びる延長部を有する作動用ボタンと、前記ハウジング内に取り付けられ、前記ホルダー装着部の離脱用突起に密着するように設けられる突起部をその前端部に含むプッシャーと、前記延長部が挿入されるように前記プッシャーの後端部に形成さる挿入孔と、前記プッシャーを弾性的に支持ように機能する弾性部材と、からなることを特徴とし、さらに、前記支持手段が、前記ハウジングに取り付けられ、パーツがスライドできるプランジャ装着空間を規定する内部ハウジングと、前記プランジャ装着部の前端部に装着され、前記ホルダーの後端部に密着する接触突起部を有するプランジャと、前記プランジャ装着部の後端部に装着されるプランジャガイドと、前記プランジャと前記プランジャガイドの間に挟入され、前記プランジャを弾性的に支持する弾性部材と、からなることを特徴とする請求項１に記載のシェーバー。
【請求項３】
前記ハウジングが、前記ハンドル本体の前端部の両側から突出する連結突起に連結される連結孔および前記ホルダーの揺動軸が挿入されるピボット孔を有する下部ハウジングと、前記下部ハウジングの上部分に連結される上部ハウジングと、からなることを特徴とする請求項１に記載のシェーバー。
【請求項４】
フックシートが前記コネクタ実装部の前端部に形成され、フックが前記フックシートに位置するように前記コネクタの前端部に設けられていることを特徴とし、さらに、ボスシートが前記コネクタ実装部の後端部両側に設けられ、ボスが前記コネクタの後端部両側に設けられ、前記ボスシートに挿入されることを特徴とする請求項１に記載のシェーバー。
【発明の詳細な説明】
【技術分野】
【０００１】
本発明はシェーバーに関するものであり、より詳しくは、カートリッジとハンドルアセンブリの構造を前記カートリッジを前記ハンドルアセンブリに着脱可能に連結することで簡素化して改善し、シェービング中に前記カートリッジが円滑に回動できるようにすることでシェービング効率を高め、そして外力が前記カートリッジにかかった場合にも前記カートリッジは前記ハンドルアセンブリから容易に分離されないように構成され、製品の信頼性を向上させたシェーバーに関する。
【背景技術】
【０００２】
以下、従来のシェーバーについて添付図面を参照して詳細に説明する。
【０００３】
図１は従来のシェーバーを示す斜視図であり、図２は図１のシェーバーに含まれたカートリッジとハンドルが互いに分離している状態を示す斜視図であり、図３は図１のカートリッジを示す分解斜視図であり、図４は図１のカートリッジの揺動構造を示す図である。
【０００４】
図１に示すように、前記従来のシェーバーにはカートリッジ１とハンドル２を含んでいる。
【０００５】
ここで、図２に示すように、前記シェーバーは、前記ハンドル２に設けられたボタン２ａが前記カートリッジ１に向かって押されると、前記カートリッジ１は前記ハンドル２から分離するように構成されている。
【０００６】
さらに、図３に示すように、前記カートリッジ１は、カートリッジ本体１ａと、前記カートリッジ本体１ａに締結される刃１ｂと、前記刃１ｂの両端を保持するクリップ１ｃと、前記刃１ｂの上部分に設けられる潤滑バンド１ｄと、前記カートリッジ本体１ａを前記ハンドル２に連結する役割を果たすハウジング１ｆを含んでいる。
【０００７】
揺動支持軸１ｅが前記ハウジング１ｆの両端から延び、前記カートリッジ本体１ａが前記揺動支持軸１ｅの周りを回動できるようになっている。
【０００８】
図２及び図４に示したように、連結部２ｂが前記ハンドル２の前端部に設けられ、前記カートリッジ１は前記ハンドル２に着脱可能に連結されるように前記ハウジング１ｆに連結される。
【０００９】
前記連結部２ｂが前記ハウジング１ｆに連結されているとき、ボタン２ａが操作されると、前記連結部２ｂは前記ハウジング１ｆから分離される。
【００１０】
しかしながら、上記のように構成された従来のシェーバーには以下の問題がある。
【００１１】
前記シェーバーには、前記カートリッジ本体１ａを回動させる前記揺動支持構造が脆弱なので、前記カートリッジ１の前記ハンドル２への着脱操作時またはシェービング中に前記カートリッジ１に外力が作用すると、前記カートリッジ１は、前記ハンドル２から不所望に分離したり、破損したりすることがあるという問題がある。
【００１２】
さらに詳細に説明すると、前記シェーバーは、前記カートリッジ本体１ａを回動させる前記揺動支持軸１ｅが前記ハウジング１ｆを介して前記カートリッジ１に直結されるように構成されていて、前記カートリッジ１に作用するすべての外力が前記揺動支持軸１ｅに伝達されるようになっているため、前記カートリッジ１の前記ハンドル２への着脱操作時またはシェービング中に外力が前記カートリッジ１に作用すると、前記揺動支持軸１ｅは、前記カートリッジ本体１ａから不所望に離脱したり、破損したりすることがある。
【００１３】
さらに、前記シェーバーには、前記カートリッジ本体１ａに連結される前記揺動支持軸１ｅの端部が前記カートリッジ本体１ａに形成された孔に挿入されて前記カートリッジ本体１ａを支持しているので、前記カートリッジ本体１ａを支持する力が弱いという問題もある。各揺動支持軸１ｅの端部に設けられた複数の端面がカム駆動されて前記カートリッジ本体１ａを回動させるので、前記カートリッジ本体１ａは円滑に回動できない。
【００１４】
さらに、前記シェーバーには、前記ハンドル２の連結部２ｂがバネの弾性力により前記カートリッジ１のハウジング１ｆに着脱可能に連結されるので、その着脱可能な構造が複雑であり、外力が作用すると不所望な離脱が発生する可能性があるという問題もある。
【発明の概要】
【発明が解決しようとする課題】
【００１５】
よって、本発明は、従来技術で発生する上記問題を念頭に置いてなされたものであり、カートリッジをハンドルアセンブリに着脱可能に連結して構造を簡素化したシェーバーを提供することを目的とする。
【００１６】
また、本発明の他の目的は、外力に耐えるようにカートリッジとハンドルアセンブリとの連結力を高めたシェーバーを提供することである。
【００１７】
さらに、本発明の他の目的は、カートリッジの支持力を増加させ、カートリッジの回動構造を改良したシェーバーを提供することである。
【課題を解決するための手段】
【００１８】
上記目的を達成するために、本発明は、着脱可能なカートリッジとハンドルアセンブリとを含むシェーバーを提供し、前記着脱可能なカートリッジには、その上面と下面の一部が開放形状をなすカートリッジ本体と、前記カートリッジ本体の下面に装着される少なくとも一枚の刃と、前記カートリッジ本体の上面に設けられるコネクタ実装部と、前記コネクタ実装部に実装され、かつその後端部にホルダー装着部を有するコネクタと、が含まれ、前記ハンドルアセンブリには、ハンドル本体と、前記ハンドル本体の前端部に設けられるハウジングと、揺動軸の周りを回動するように前記ハウジングの前端部に装着され、かつ前記ホルダー装着部に着脱可能に装着されるホルダーと、前記ホルダーを前記ホルダー装着部に着脱可能に連結する働きをする離脱手段と、前記離脱手段に連動して操作されるように前記ハウジングに取り付けられて、外力により物理的な力が前記離脱手段に作用すると前記ホルダーを前記ホルダー装着部から分離し、弾性力によりその元の位置に戻る操作手段と、前記ホルダーに連動して操作され、かつ、弾性力を用いて前記ホルダーの回動動作を弾性的に支持するように前記ハウジングに取り付けられる支持手段と、が含まれる。
【００１９】
前記離脱手段には、前記ホルダー装着部の後端部上部分の中心に設けられる離脱用突起と、前記離脱用突起の両側から下方に延び、前記離脱用突起によって弾性的に回動する弾性ステップと、前記ホルダーの前端部のそれぞれの前記弾性ステップに相当する箇所に設けられた離脱用フックと、が含まれる。
【００２０】
前記操作手段には、前記ハウジングの上面に装着され、前記ハウジングに延びる延長部を有する作動用ボタンと、前記ハウジング内に取り付けられ、前記ホルダー装着部の離脱用突起に密着するように設けられる突起部をその前端部に有するプッシャーと、前記延長部が挿入されるように前記プッシャーの後端部に形成さる挿入孔と、前記プッシャーを弾性的に支持するように機能する弾性部材と、が含まれる。
【００２１】
さらに、前記支持手段には、前記ハウジングに取り付けられ、パーツがスライドできるプランジャ装着空間を規定する内部ハウジングと、前記プランジャ装着部の前端部に装着され、前記ホルダーの後端部に密着する接触突起部を有するプランジャと、前記プランジャ装着部の後端部に装着されるプランジャガイドと、前記プランジャと前記プランジャガイドの間に挟入され、前記プランジャを弾性的に支持する弾性部材と、が含まれる。
【００２２】
前記ハウジングには、前記ハンドル本体の前端部両側から突出する連結突起に連結される連結孔を有する下部ハウジングと、前記ホルダーの揺動軸が挿入されるピボット孔と、前記下部ハウジングの上部分に連結される上部ハウジングと、が含まれる。
【００２３】
さらに、フックシートが前記コネクタ実装部の前端部に形成され、フックが前記フックシートに位置するように前記コネクタの前端部に設けられ、ボスシートが前記コネクタ実装部の後端部両側に設けられ、ボスが前記コネクタの後端部両側に設けられて前記ボスシートに挿入されている。
【図面の簡単な説明】
【００２４】
【図１】図１は従来のシェーバーを示す斜視図である。
【００２５】
【図２】図２は図１のシェーバーに含まれたカートリッジとハンドルが互いに分離している状態を示す斜視図である。
【００２６】
【図３】図３は図１のカートリッジを示す分解斜視図である。
【００２７】
【図４】図４は図１のカートリッジの揺動構造を示す図である。
【００２８】
【図５】図５は本発明の好適な実施形態に係るシェーバーを示す平面図である。
【００２９】
【図６】図６は本発明の好適な実施形態に係るシェーバーを示す底面図である。
【００３０】
【図７】図７は図５のシェーバーに含まれたカートリッジとハンドルアセンブリが互いに分離している状態を示す斜視図である。
【００３１】
【図８】図８は図５のハンドルアセンブリを示す分解斜視図である。
【００３２】
【図９】図９は図８の重要部を示す分解斜視図である。
【００３３】
【図１０】図１０は図５のカートリッジを示す底面分解斜視図である。
【００３４】
【図１１】図１１は図５のカートリッジを示す底面図である。
【００３５】
【図１２】図１２は図１１のＡ−Ａ線に沿った断面図である。
【００３６】
【図１３】図１３は図８のホルダーがハウジングに接続されている状態を示す平面図である。
【００３７】
【図１４】図１４は図１３のＢ−Ｂ線に沿った断面図である。
【００３８】
【図１５】図１５は図１３のＣ−Ｃ線に沿った断面図である。
【００３９】
【図１６】図１６は上部ハウジングが図１３から離脱した状態を示す平面図である。
【００４０】
【図１７】図１７は図１６のＤ−Ｄ線に沿った断面図である。
【００４１】
【図１８】図１８は図５のカートリッジを示す平面図である。
【００４２】
【図１９】図１９は図１８のＥ−Ｅ線に沿った断面図である。
【００４３】
【図２０】図２０はハンドル本体が図５から離脱した状態を示す平面図である。
【００４４】
【図２１】図２１は図２０のＦ−Ｆ線に沿った断面図である。さらに、
【００４５】
【図２２】図２２は本発明に係るシェーバーでシェービングするときの前記カートリッジの回動構造を示す側面図である。
【発明を実施するための形態】
【００４６】
以下、上記目的を達成する本発明の好適な実施形態を添付図面を参照して説明する。
【００４７】
図５は本発明の好適な実施形態に係るシェーバーを示す平面図であり、図６は本発明の好適な実施形態に係るシェーバーを示す底面図であり、図７は図５のシェーバーに含まれたカートリッジとハンドルアセンブリが互いに分離している状態を示す斜視図であり、図８は図５のハンドルアセンブリを示す分解斜視図であり、図９は図８の重要部を示す分解斜視図である。
【００４８】
さらに、図１０は図５のカートリッジを示す底面分解斜視図であり、図１１は図５のカートリッジを示す底面図であり、図１２は図１１のＡ−Ａ線に沿った断面図であり、図１３は図８のホルダーがハウジングに接続された状態を示す平面図であり、図１４は図１３のＢ−Ｂ線に沿った断面図であり、図１５は図１３のＣ−Ｃ線に沿った断面図である。
【００４９】
さらに、図１６は上部ハウジングが図１３から離脱した状態を示す平面図であり、図１７は図１６のＤ−Ｄ線に沿った断面図であり、図１８は図５のカートリッジを示す平面図であり、図１９は図１８のＥ−Ｅ線に沿った断面図であり、図２０はハンドル本体が図５から離脱した状態を示す平面図であり、図２１は図２０のＦ−Ｆ線に沿った断面図である。
【００５０】
なお、図２２は本発明に係るシェーバーでシェービングするときの前記カートリッジの回動構造を示す側面図である。
【００５１】
図５〜図７に示したように、本発明に係るシェーバーには主として着脱可能なカートリッジ１００と、前記カートリッジ１００に着脱可能に連結されるハンドルアセンブリ２００が含まれる。
【００５２】
ここで、図１０を参照すると、前記着脱可能なカートリッジ１００にはカートリッジ本体１１０と、１つまたは複数の刃１２０と、コネクタ実装部１１０ａと、コネクタ１３０が含まれている。前記カートリッジ本体１１０はその上面と下面が開放されるように形成されている。前記刃１２０は前記カートリッジ本体１１０の下面に締結されている。前記コネクタ実装部１１０ａは前記カートリッジ本体１１０の上面に設けられている。前記コネクタ１３０は、前記コネクタ実装部１１０ａに設置され、その後端部にホルダー装着部１３０ａを有している。
【００５３】
図８及び図９を参照すると、前記ハンドルアセンブリ２００にはハンドル本体２１０と、ハウジング２２０と、ホルダー２３０と、離脱手段と、操作手段と、支持手段が含まれている。前記ハウジング２２０は前記ハンドル本体２１０の前端部に設けられている。前記ホルダー２３０は、揺動軸２３０ａの周りを回動するように前記ハウジング２２０の前端部に装着されて、前記ホルダー装着部１３０ａに着脱可能に装着されている。前記離脱手段は前記ホルダー２３０を前記ホルダー装着部１３０ａに着脱可能に連結する働きをする。前記操作手段は、前記離脱手段に連動して操作されるように前記ハウジング２２０に取り付けられて、外力により物理的な力が前記離脱手段に作用すると前記ホルダー２３０を前記ホルダー装着部１３０ａから分離し、弾性力によりその元の位置に戻る。前記支持手段は、前記ホルダー２３０に連動して操作され、かつ、弾性力を用いて前記ホルダー２３０の回動動作を弾性的に支持するように前記ハウジング２２０に取り付けられる。
【００５４】
ここで、前記ハウジング２２０には下部ハウジング２２１及び上部ハウジング２２２が含まれている。前記下部ハウジング２２１には、前記ハンドル本体２１０の前端部の両側から突出する連結突起２１０ｂが挿入される連結孔２２１ｂと、前記ホルダー２３０の揺動軸２３０ａが挿入されるピボット孔２２１ａが含まれている。前記上部ハウジング２２２は前記下部ハウジング２２１の上部分に連結されている。
【００５５】
図１８及び図１９を参照すると、前記離脱手段には離脱用突起１３０ｂと、弾性ステップ１３３と、離脱用フック２３３が含まれている。前記離脱用突起１３０ｂは前記ホルダー装着部の後端部１３０ａの上部分の中心に設けられている。前記弾性ステップ１３３は、前記離脱用突起１３０ｂの両側から下方に延び、前記離脱用突起１３０ｂによって弾性的に回動する。前記離脱用フック２３３は前記ホルダー２３０の前端部に前記弾性ステップ１３３と対応するように設けられている。
【００５６】
さらに、図２０及び図２１を参照すると、前記操作手段には作動用ボタン２４１と、プッシャー２４２と、弾性部材Ｓ４が含まれている。前記作動用ボタン２４１は、前記上部ハウジング２２２の上面に装着されて前記ハウジング２２０を構成し、前記上部ハウジング２２２に延びる延長部２４１ａを有している。前記プッシャー２４２は前記上下部ハウジング２２２および２２１相互間に形成される空間内に取り付けられ、プッシャーの突起部２４２ｂは前記プッシャー２４２の前端部に設けられ前記ホルダー装着部１３０ａの離脱用突起１３０ｂに密着し、挿入孔２４２ａは前記作動用ボタン２４１の延長部２４１ａが前記挿入孔２４２ａに挿入されるように前記プッシャー２４２の後端部に形成されている。前記弾性部材Ｓ４は前記プッシャー２４２を弾性的に支持する働きをする。
【００５７】
図１３〜図１７を参照すると、前記支持手段には内部ハウジング２５１と、プランジャ２５２と、プランジャガイド２５３と、弾性部材５が含まれている。前記内部ハウジング２５１は、前記下部ハウジング２２１に取り付けられて、その中でパーツがスライドできるプランジャ装着空間２５１ａを規定している。前記プランジャ２５２は、前記プランジャ装着部２５１ａの前端部に装着され、かつ前記ホルダー２３０の後端部に密着する接触突起２５２ａを含んでいる。前記プランジャガイド２５３は前記プランジャ装着部２５１ａの後端部に装着されている。前記弾性部材５は、前記プランジャ２５２と前記プランジャガイド２５３間に挟入され、前記プランジャ２５２を弾性的に支持する。
【００５８】
また、図８を参照すると、前記プッシャー２４２は前記プランジャガイド２５３に延びる支持部２４２ｃとともに設けられている。好ましくは、ガイドバー２５３ｃは、前記プランジャガイド２５３に設けられて、前記プッシャー２４２の移動方向に所定の距離延び、前記支持部２４２ｃに密着して前記支持部２４２ｃの動きを支持する。
【００５９】
より好ましくは、軸支持部２５１ｂは前記内部ハウジング２５１の前端部から突出して前記ホルダー２３０の揺動軸２３０ａを支持する。
【００６０】
さらに、図１１及び図１２を参照すると、フックシート１１０ｄは、前記コネクタ実装部１１０ａの前端部に形成され、フック１３０ｄは前記フックシート１１０ｄと相対して位置するように前記コネクタ１３０の前端部に設けられている。ボスシート１１０ｃは前記コネクタ実装部１１０ａの後端部の両側に設けられているが、ボス１３０ｃは前記ボスシート１１０ｃに挿入されるように前記コネクタ１３０の後端部の両側に設けられている。
【００６１】
また、図１０を参照すると、前記カートリッジ１００にはクリップ１４０と、潤滑バンド１５０と、ガイド部１６０がさらに含まれている。前記クリップ１４０は前記カートリッジ本体１１０に取り付けられて前記刃１２０の両端を保持している。前記潤滑バンド１５０は前記刃１２０の片側に装着されている。前記ガイド部１６０は前記刃１２０の他側に装着され、シェービング中に前記刃がユーザーの皮膚に密着することができ、好ましくは、前記ガイド部１６０は前記刃１２０の方向に波形状を有する。
【００６２】
さらに、図８を参照すると、グリップ感を向上させることに加えて前記ハンドルアセンブリ２００に適当な重みを与え、かつ前記ハンドル本体２１０の変形を防止するようにインサートが前記ハンドルアセンブリ２００のハンドル本体２１０に好ましくは取り付けられる。
【００６３】
この場合、前記インサートには、前記ハンドル本体２１０の前端部に取り付けられる前方インサート２６１と、前記ハンドル本体２１０の後端部に取り付けられる後方インサート２６２と、前記ハンドル本体２１０の上部分に装着される上部インサート２６３と、前記ハンドル本体２１０の下部分に装着される下部インサート２６４が含まれる。
【００６４】
また、図１０に示したように、本発明に係るカートリッジ本体１１０は、前記カートリッジ本体１１０の下面は前記刃１２０が装着できるように、前記カートリッジ１１０の上面は前記コネクタ１３０が装着できるように、それぞれ開口部が形成されている。この構造により、シェービング中に前記刃１２０で剃った髭を前記カートリッジ本体１１０の上面を介して円滑に排出することができる。
【００６５】
本発明の好適な実施形態は例示的な目的で開示したものであって、当業者であれば、特許請求の範囲で述べた考えや範囲を変更する物でなければ、技術の熟成によりいろいろな変更や追加や置き換えが可能である。
【００６６】
従って、当然のことながら、本発明は例示を目的としたものであり、特許請求の範囲を限定するものではなく、すべての変更形態は請求項で定義された意図およびその範囲内、またはかかる意図およびその範囲と同等であり、前記特許請求の範囲に包含される。
【産業上の利用可能性】
【００６７】
上記のように、本発明は、カートリッジとハンドルアセンブリが、互いにコネクタで着脱可能に連結されているとともに、前記カートリッジに確実に連結されているシェーバーと、揺動軸の周りを回動するように前記ハンドルアセンブリに連結されて簡素な着脱可能構造を実現し、連結力を高めるとともに、前記カートリッジの支持力を向上させるホルダーと、を提供する。
【００６８】
さらに、本発明は、揺動軸を介してハンドルアセンブリに連結されるホルダーによって、カートリッジを回動させる揺動支持軸構造を実現しているシェーバーを提供するものであって、前記カートリッジはコネクタを介して前記ホルダーに簡単に連結されているため、前記カートリッジに外力が作用するときでさえも、前記カートリッジと前記ハンドルアセンブリが互いから不所望に分離したり、破損することを防止し、前記カートリッジは前記揺動軸の周りを弾性的に回動するために円滑な回動動作を提供する。
【００６９】
さらに、本発明は、カートリッジとハンドルアセンブリが、前記カートリッジに実装されたコネクタのフックとボスを用いて互いに連結されているシェーバーと、前記ハンドルアセンブリに装着されているため、バネを用いた従来の連結構造よりも簡素化された構造を達成するとともに連結力を高めるホルダーと、を提供する。
【００７０】
そのうえ、本発明は、コネクタが実装されるカートリッジ本体の上面が開放しているため、シェービング中に剃った髭を円滑に排出できるシェーバーを提供する。
【図１】
2010527736.tif 000003
【図２】
2010527736.tif 000004
【図３】
2010527736.tif 000005
2010527736.tif 000006
【図４】
2010527736.tif 000007
【図５】
2010527736.tif 000008
【図６】
2010527736.tif 000009
【図７】
2010527736.tif 000010
【図８】
2010527736.tif 000011
【図９】
2010527736.tif 000012
【図１０】
2010527736.tif 000013
【図１１】
2010527736.tif 000014
【図１２】
2010527736.tif 000015
【図１３】
2010527736.tif 000016
【図１４】
2010527736.tif 000017
【図１５】
2010527736.tif 000018
【図１６】
2010527736.tif 000019
【図１７】
2010527736.tif 000020
【図１８】
2010527736.tif 000021
【図１９】
2010527736.tif 000022
【図２０】
2010527736.tif 000023
【図２１】
2010527736.tif 000024
【図２２】
2010527736.tif 000025
【国際調査報告】
2010527736.tif 000026
2010527736.tif 000027
2010527736.tif 000028